(57)【要約】第１あごおよび片側から前記第１通路（２１）までの第１開口部が設けられる第１貫通通路（１６）がある第１部材である筺体（１１）、第２あごおよび片側から前記第２通路（２７）までの第２開口部が設けられる第２貫通通路のある第２部材である閉鎖板（１２）が含まれ、前記第２部材が、前記第１および第２あごが一定間隔離れて置かれると同時に、前記第１および第２開口部が少なくとも部分的に１列に並ぶと同時に片側から前記第１通路までの接近がもたらされる開放位置と第１および第２あごが協働して閉じられる袋の部分が留め金で留められる閉鎖位置との間の離れた関連滑動移動により、前記第１部材と噛合する留め金（１０）。閉鎖板は筺体の閉じた通路端部内部に位置するばね（１３）および（１４）によって偏向されて閉じられる。【選択図】図２
2008502540.tif 000002
【特許請求の範囲】
【請求項１】
第１あごおよび片側面から第１通路まで第１開口部が設けられる貫通第１通路のある第１部材、第２あごおよび片側面から第２通路まで第２開口部が設けられる貫通第２通路のある第２部材が含まれ、前記第１および第２あごが一定間隔離れて配置されると同時に、前記第１および第２開口部が少なくとも部分的に列に並べられかつ片側面から前記第１通路まで入口が提供される開放位置と、前記第１および第２あごによりその間で閉鎖される袋の一部が協働して留め金で留められる閉鎖位置との間の滑動移動に関連して前記第２部材が前記第１部材と噛合する留め金
【請求項２】
少なくとも前記第１および第２部材に、第１および第２部材が閉鎖位置にあるにもかかわらず前記第１および第２開口部を通過してそこから外れないよう前記第１および第２あご間で留め金がかけられる袋部分の保持手段が含まれる請求項１による留め金
【請求項３】
前記第１および第２部材が閉鎖位置に偏向されるための偏向手段が含まれる請求項１あるいは請求項２による留め金
【請求項４】
前記第２部材が閉鎖板であると同時に、前記第１部材に、前記閉鎖板の少なくとも１部分が滑動して受入れられるよう適合されて前記第１および第２部材間に前記関連滑動移動がもたらされる窪み部がある請求項１から請求項３までの任意の請求項による留め金
【請求項５】
前記窪み部が空洞部でありかつ前記第１部材により第２部材の前記滑動部分に関するスリーブが形成されて第２部材が前記関連滑動移動のために確実に設けられる請求項４による留め金
【請求項６】
前記第１および第２部材が全体的に平らな請求項１から請求項５までの任意の請求項による留め金
【請求項７】
前記第１部材に正面面および対向する後面面があり、前記第１通路が前記正面面から前記後面面まで拡がると同時に、前記第１開口部が前記正面および後面の面間の前記第１部材の側面縁から前記第１通路まで拡がる請求項６による留め金
【請求項８】
前記第２部材に正面の面があると同時に対向する後面の面があり、前記第２通路が前記正面面から前記後面面まで拡がると同時に、前記第２開口部が前記第２部材の側面縁から前記第２通路まで拡がる請求項６による留め金
【請求項９】
前記第２通路が対向する正面および後面の面間に拡がる前記第２部材中の細長溝であると同時にこれが前記第２部材の側面縁まで開いている請求項６による留め金
【請求項１０】
前記閉鎖位置から前記開放位置までの前記第１および第２部材の関連滑動移動の停止用の停止手段が含まれる請求項１から請求項９までの任意の請求項による留め金
【請求項１１】
留め金が形成されるために採用された第１および第２部材の組合せにおいて、該第１部材に第１貫通通路および片側から前記第１通路までの第１開口部およびそこまでの関連滑動移動に関する第２部材の固定用の固定手段があると同時に、該第２部材に第２貫通通路及び片側面から前記第２通路までの第２開口部があり、前記第２部材が開放並びに閉鎖の位置間の前記第１部材に関連する滑動移動用の前記第１部材の前記誘導手段と噛合し、前記第１及び第２通路および前記第１および第２開口部が、前記第１および第２部材が開放位置にある時にそれぞれ少なくとも部分的に１列に並ぶと同時に、前記第１および第２部材が閉鎖位置にある時に少なくとも前記第１および第２通路がほぼ１列の並びから外れるように部品が作成され配置されるもの。好ましくは、前記第１および第２通路が１列に並ぶ時に、前記第１および第２開口部もまたほぼ１列に並ぶと同時に、前記第１および第２開口部がほぼ１列の並びから外れる時に、前記第１および第２開口部もまた少なくともほぼ列の並びからはずれる。
【請求項１２】
任意の添付図面を参照した前述の留め金
【請求項１３】
任意の添付図面を参照した前述の説明による請求項１による留め金
【発明の詳細な説明】
【技術分野】
【０００１】
本発明は留め金に関する。本発明には特に自在袋の閉鎖用留め金の用途がある。
【背景技術】
【０００２】
自在袋の側面を一体に保持するための様々な形態が知られている。例えば、その長さに沿って一体の口近辺の対向する側面の留め金締めに採用される装置がコート社の米国特許3629905に説明されている。該装置には、相互に近づいてかつ離れても動くと同時に、袋の口近辺でその間の袋の対向する壁が留め金で留められて袋が閉じられるために採用されるあごが形成される２つの対向する細長い部材が含まれる。細長部材は、該装置には袋の口の全幅が収容可能であるよう比較的幅が広いことが必要とされるので、多くの適用例について大きくて望ましくない。
【０００３】
もうひとつの例は口の全幅にわたるその口近辺の袋の対向する側面が一体に留め金で留められるよう適合された装置が説明されるコーカー＆コーカー社の米国特許4428098にも示される。該装置により袋が有効に密閉され得るけれどもこれもまた比較的大きくならざるをえない。
【０００４】
ニーデッカー社の米国特許5546637には、その壁により先端が形成されるよう集められたソーセージ皮あるいは袋が留め金で留められるよう設計される点で、前述の２つの装置とは異なって機能するプラスチッククリップが説明されている。しかしながら、ニーデッカー社の装置には袋が閉じられるために袋先端に取付けられると同時に相互連結されなくてはならない２個の別々の部品があるので使用が難しくて望ましくない。さらに、ニーデッカー社の装置は簡便な再利用には相応しくなく、２個の部品は分離が困難で望ましくない。
【０００５】
本発明は前述の問題のうち１つ以上が改善されると同時に、再利用が比較的容易に可能である自在袋の効果的な閉鎖用の留め金が提供されることを目的とする。
【発明の開示】
【発明が解決しようとする課題】
【０００６】
前述の点を考慮して、本発明は、ある局面では第１あごおよび片側面から前記第１通路までの第１開口部が提供される第１貫通通路のある第１部材、第２あごおよび片側面から前記第２通路までの第２開口部が設けられる第２貫通通路がある第２部材が含まれる留め金に幅広く存在し、前記第１および第２あごが別々に間隔をおいて配置されると同時に、前記第１および第２開口部が少なくとも部分的に列に並べられかつ片側面から前記第１通路までの入口が提供される開放位置と前記第１および第２あごが協働してその間で閉じられる袋の一部が留め金で留められる閉鎖位置との間で、前記第２部材がこれに関連する滑動移動に関して前記第１部材と噛合する。
【０００７】
前記第１および第２部材の内の少なくとも一つには、第１および第２部材が閉鎖位置にある間、前記第１および第２開口部を通ってそこから外れないよう、第１および第２あご間に留め金で留められた袋部分が保持されるための保持手段が含まれるのが好ましい。
【０００８】
前記留め金には、留め金により使用位置で閉鎖された袋が普通に保持されるとともに、袋から留め金が解放されると同時に袋が開かれる開放位置まで第２部材を移動させる力が必要とされる閉鎖位置までの前記第１および第２部材の偏向用の偏向手段が含まれるのが好ましい。
【０００９】
前記第２部材が閉鎖板であると同時に、前記第１部材に前記第１および第２部材間に前記の関連滑動移動がもたらされる閉鎖板の少なくとも１部分がそこに滑動可能に適合されて受入れられる窪み部があるのが好ましい。この発明の形態では、前記窪み部は、前記第１部材により閉鎖板の滑動部分に関するスリーブが形成されて前記関連滑動移動に関しこれがそこに確実に位置するような空洞部であることが好ましい。
【００１０】
前記第１および第２部材は正面から見て全体的に長方形であると同時に相対的に薄い形であるのが好ましい。この形態では、前記第１部材には正面の面と同時に対向する後面の面があり、前記第１通路は前記正面面から前記後面面まで拡がるとともに、前記第１開口部は前記正面および後面の面間の前記第１部材の側面縁から前記第１通路まで拡がる。同様にして、この形態では、前記第２部材に正面面と対向する後面面があり、前記第２通路は前記正面面から前記後面面まで拡がるとともに、前記第２開口部は前記第２部材の側面縁から前記第２通路まで拡がる。ある好ましい形態では、前記第２通路は、対向する正面および後面間に拡がる前記第２部材にある細長溝であると同時に前記第２部材の１縁まで開いている。
【００１１】
留め金には前記閉鎖位置から前記開放位置までの前記第１および第２部材の関連する滑動移動の停止用の停止手段が含まれるのが好ましい。
【００１２】
もう一つ別の局面では、本発明は留め金の使用向けに適合される第１および第２部材の組合せに幅広く存在し、該第１部材には第１貫通通路および片側から前記第１通路までの第１開口部および関連する滑動移動に関する第２部材の固定用の固定手段があるとともに、第２部材には第２貫通通路および片側から前記第２通路までの第２開口部があり、前記第２部材は開放および閉鎖位置との間の関連する滑動移動用の前記第１部材の誘導手段と噛合するよう合わされ、部品類は、前記第１および第２部材が前記固定手段によって一緒に固定されると同時に開放位置にある時、前記第１および第２通路および第１および第２開口部がそれぞれ少なくとも部分的に１列に並ぶとともに、前記第１および第２部材が閉鎖位置にある時に、少なくとも前記第１および第２通路がほぼ列の並びから外れるように、作成され配置される。前記第１および第２通路が１列に並ぶ時、前記第１および第２開口部もまたほぼ１列に並ぶと同時に、前記第１および第２開口部がほぼ列の並びから外れる時に前記第１および第２開口部もまた少なくともほぼ列の並びから外れるのが好ましい。
【特許文献１】米国特許3629905
【特許文献２】米国特許4428098
【特許文献３】米国特許5546637（図面の詳細な説明）
【００１３】
図１に例示される留め金１０には閉鎖板部材１２が関連滑動移動向けに取付けられると同時に、図５に見られる間隔をおいて配置される２個の別々のコイル圧縮ばね１３および１４によって図１に示されるように閉鎖位置に偏向される筺体１１が含まれる。
【００１４】
図６aから図６cまでにさらにはっきりと見られるように、該筺体は間隔をおいて別々におかれる正面および後面の面１１aおよび１１b、対向する側面縁面１１cおよび１１dならびに対向する端部面１１eおよび１１fのある全体的に空洞の長方形角柱である。空洞部あるいは穴部１６は端部１１eの開口部１７から拡がりかつ盲端部１１fで終わるとともに、通路２１は縁１１cまで拡がる側面部分が伴われて正面面から後面面まで筺体を貫通して拡がると同時に、開口部２２では、通路はＧ字の頂部および底部が形成される対向した部分２４aおよび２４b、およびＧ字の背部が形成される部分２４c、および開口部２２に隣接するＧ字の出張り部が形成される部分２４dを有する全体が四角いＧ字状面によって定められる。今説明されたばかりのＧ字の出っ張り部が形成される開口部２２に隣接する筺体は一側面を通路２１に提供すると同時に保持部分２３として作用するので、通路には、後でさらに詳しく説明される開口部２２につながるより狭い部分があるけれども、通路は正面立面で全体的に長方形である点が分かる。
【００１５】
閉鎖板１２は全体的に筺体の形状に一致すると同時に、自由な滑動合わせ用に空洞部１６で滑動できるよう対応されて取付けられる。閉鎖板も、また、間隔をおいた別々の正面および後面１２aおよび１２b、対向する側面面１２bおよび１２cおよび対向する端部面１２eおよび１２fを有する全体が薄い長方形角柱であるのが適当である。通路２７は正面から後面までそして側面的には開口部２８までの側面縁１２cまで拡がり、該通路はＵ字の側面が形成される対向面２９a、２９bのあるＵ字状面およびＵ字の端部が形成される端部面２９cによって定められる。該通路は後に説明される保持部分を除き全体的に筺体の通路２１と同一の形状である。内側端部１２dでは、間隔をおいた２個の別々の止め釘３１および３２が外側に延びると同時に、それぞれ閉鎖板にこれらを固定するコイルばね１３および１４の端部が受入れられるよう対応される。引っ掛かり部３３が後に説明するように閉鎖板が筺体に固定されるために正面１２aから外側に拡がる。
【００１６】
図８および図９にさらにはっきり見られるように、閉鎖板は、設置止め釘３１および３２の片端および筺体の盲端部１１fに設けられる窪み部２５および２６に取付けられる他端にそれぞれ取付けられるばね１３および１４が使用されて筺体の空洞部で滑動できるように取付けられ、該ばねは展開あるいは閉鎖位置に対して閉鎖板に偏向されて設置される。閉鎖板は筺体の面２４bと隣接する引っ掛かり部３３によって筺体に保持され、該筺体および引っ掛かり部は十分に柔軟性があると同時に引っ掛かり部により閉鎖板が筺体に合わせられると同時に２個の部品が簡単に分離してしまうのもまた防止されて、通路の通過が可能なように適切な形状につくられる。
【００１７】
閉鎖板は、閉鎖板の開口部２８は、閉鎖板の通路２７が筺体の通路２７と１列に並ぶ時点の筺体の開口部２２と１列に並ぶ開放位置まで、閉鎖板の端部１２eに親指圧が押し当てられてかつ筺体の端部１１dにも指圧が加えられることによって空洞部１６に完全に押し込まれ得るのが適当である。その関連位置において、閉鎖される袋の側壁は、１列に並んだ開口部２２および２８を貫通して１列に並ぶ通路に押し込められることが可能でその後に引き続き閉鎖板上の親指圧が解放され得る。
【００１８】
圧力の解放により、ばねは、閉鎖板を外側に、閉鎖板の面２９bおよび筺体の２４bがお互いの方に向けて駆り立てると同時に袋の壁上で挟み型のあごのように作用する閉鎖位置方向に、押しつけることが可能となり、これによって袋が閉じられるよう壁が一体に留め金で留められる。袋が開かれるには、閉鎖板が、単純に開口部が１列に並ぶまで押されると同時に、望まれる場合には留め金は再利用のため袋からの解放が可能である。
【００１９】
図１１に例示される留め金１１０は図１の留め金１０に類似しているので、「１」によって始まるものを除き同じ部品が参照されるためには同じ参照番号が利用される。留め金１０との主たる差は図１の留め金にあるような筺体１１２にこれが保持されるための引っ掛かり部のある閉鎖板１１１ではなく、むしろ、筺体の細長溝１４２に噛合する耳１４１がある点である。しかしながら、この構成では、筺体は、閉鎖板が適切な接着剤によって音波溶接あるいは同様なものによって接合された後にスリーブ部分に固定可能であるスリーブ部分１１１xならびに分離した端部部分１１１yを有することが必要とされる。この本発明の形態では、細長溝は内部面からスリーブ部分の正面壁に拡がると同時に通路１２１のすぐ手前で終わり、細長溝の端部と耳の噛合により偏向されたばねののもとで閉鎖板の筺体からの分離が防止される。さらに、ばねに関して設けられる設置止め釘３１および３２に代わって、窪み部１３１および１３２が設けられる。
【００２０】
前述の説明は本発明の例示的な事例によって与えられたけれども、本発明はその他の多くの形態が具体化され得ると同時に、そのような形態のすべては付録の請求項に定められた本発明の広範な範囲と領域の内に入るものと見なされるものと理解されよう。
【図面の簡単な説明】
【００２１】
本発明がさらに明確に理解されると同時に実施されるように、添付図面への参照が以降に行われよう。すなわち、
【００２２】
【図１】閉鎖位置における本発明による留め金の描画表示である。
【図２】開放位置における図１の留め金の描画表示である。
【図３】開放位置に置ける図１の留め金の正面立面図である。
【図４】閉鎖位置における図１の留め金の正面立面図である。
【図５】組立のために並んだ部品が伴われた図１の留め金の正面立面図である。
【図６ａ】図１の留め金の第１部品の描画表示である。
【図６ｂ】図６aの第１部品の正面立面図である。
【図６ｃ】図６aの第１部品の正面側面図である。
【図７ａ】図１の留め金の第２部品の描画表示である。
【図７ｂ】図７aの第２部品の正面立面図である。
【図７ｃ】図７aの第２部品の側面立面図である。
【図８】開放位置における線８−８に沿った図１の留め金の断面図である。
【図９】閉鎖位置における線８−８に沿った図１の留め金の断面図である。
【図１０】袋を閉鎖する袋の壁が留め金で留められる使用中の図１の留め金の描画表示である。
【図１１】閉鎖位置における本発明によるもう一つの留め金の描画表示である。
【図１２】開放位置における図１１の留め金の描画表示である。
【図１３ａ】組立のために並んだ３個の主部品が伴われた図１１の留め金の描画表示である。
【図１３ｂ】対向する端部からの図１３aに示される部品の１つの描画表示である。
【図１４ａ】図１の留め金の第１部品の正面立面図である。
【図１４ｂ】図１４aの部品の側面立面図である。
【図１４ｃ】図１４aの部品の端部立面図である。
【図１４ｄ】線１４d−１４dに沿った図１４aの部品の側面断面立面図である。
【図１５ａ】図１１の留め具の第２部品の正面立面図である。
【図１５ｂ】図１５aの第２部品の側面立面図である。
【図１５ｃ】図１５aの第２部品の端部立面図である。
【図１】
2008502540.tif 000003
【図２】
2008502540.tif 000004
【図３】
2008502540.tif 000005
【図４】
2008502540.tif 000006
【図５】
2008502540.tif 000007
【図６ａ】
2008502540.tif 000008
【図６ｂ】
2008502540.tif 000009
【図６ｃ】
2008502540.tif 000010
【図７ａ】
2008502540.tif 000011
【図７ｂ】
2008502540.tif 000012
【図７ｃ】
2008502540.tif 000013
【図８】
2008502540.tif 000014
【図９】
2008502540.tif 000015
【図１０】
2008502540.tif 000016
【図１１】
2008502540.tif 000017
【図１２】
2008502540.tif 000018
【図１３ａ】
2008502540.tif 000019
【図１３ｂ】
2008502540.tif 000020
【図１４ａ】
2008502540.tif 000021
【図１４ｂ】
2008502540.tif 000022
【図１４ｃ】
2008502540.tif 000023
【図１４ｄ】
2008502540.tif 000024
【図１５ａ】
2008502540.tif 000025
【図１５ｂ】
2008502540.tif 000026
【図１５ｃ】
2008502540.tif 000027
【手続補正書】
【提出日】平成17年8月15日(2005.8.15)
【手続補正１】
【補正対象書類名】特許請求の範囲
【補正対象項目名】全文
【補正方法】変更
【補正の内容】
【特許請求の範囲】
【請求項１】
第１あごおよび片側面から第１通路まで第１開口部が設けられる貫通第１通路のある第１部材、第２あごおよび片側面から第２通路まで第２開口部が設けられる貫通第２通路のある第２部材が含まれ、前記第１および第２あごが一定間隔離れて配置されると同時に、前記第１および第２開口部が少なくとも部分的に列に並べられかつ片側面から前記第１通路まで入口が提供される開放位置と、前記第１および第２あごによりその間で閉鎖される袋の一部が協働して留め金で留められる閉鎖位置との間の滑動移動に関連して前記第２部材が前記第１部材と噛合する留め金
【請求項２】
少なくとも前記第１および第２部材に、第１および第２部材が閉鎖位置にあるにもかかわらず前記第１および第２開口部を通過してそこから外れないよう前記第１および第２あご間で留め金がかけられる袋部分の保持手段が含まれる請求項１による留め金
【請求項３】
前記第１および第２部材が閉鎖位置に偏向されるための偏向手段が含まれる請求項１あるいは請求項２による留め金
【請求項４】
前記第２部材が閉鎖板であると同時に、前記第１部材に、前記閉鎖板の少なくとも１部分が滑動して受入れられるよう適合されて前記第１および第２部材間に前記関連滑動移動がもたらされる窪み部がある請求項１から請求項３までの任意の請求項による留め金
【請求項５】
前記窪み部が空洞部でありかつ前記第１部材により第２部材の前記滑動部分に関するスリーブが形成されて第２部材が前記関連滑動移動のために確実に設けられる請求項４による留め金
【請求項６】
前記第１および第２部材が全体的に平らな請求項１から請求項５までの任意の請求項による留め金
【請求項７】
前記第１部材に正面面および対向する後面面があり、前記第１通路が前記正面面から前記後面面まで拡がると同時に、前記第１開口部が前記正面および後面の面間の前記第１部材の側面縁から前記第１通路まで拡がる請求項６による留め金
【請求項８】
前記第２部材に正面の面があると同時に対向する後面の面があり、前記第２通路が前記正面面から前記後面面まで拡がると同時に、前記第２開口部が前記第２部材の側面縁から前記第２通路まで拡がる請求項６による留め金
【請求項９】
前記第２通路が対向する正面および後面の面間に拡がる前記第２部材中の細長溝であると同時にこれが前記第２部材の側面縁まで開いている請求項６による留め金
【請求項１０】
前記閉鎖位置から前記開放位置までの前記第１および第２部材の関連滑動移動の停止用の停止手段が含まれる請求項１から請求項９までの任意の請求項による留め金
【請求項１１】
留め金が形成されるよう採用される第１および第２部材、すなわち、第１貫通通路および片側から第１通路までの第１開口部のある第１部材、および関連する滑動移動用の第２部材の固定手段ならびに第２貫通通路および片側から前記第２通路までの第２開口部のある第２部材の組合せにおいて、前記第２部材が開放と閉鎖位置間で前記第１部材に関連する滑動移動用の前記第１部材の前記固定手段と噛合し、前記第１および第２通路および前記第１および第２開口部が前記第１および第２部材が開放位置にある時にそれぞれ少なくとも部分的に１列に並ぶとともに、前記第１および第２通路が、前記第１および第２部材が閉鎖位置にある時にほぼ１列の並びから外れるように部材が作成されると同時にほぼ配置されるもの
【請求項１２】
任意の添付図面を参照した前述の説明の留め金
【請求項１３】
任意の添付図面を参照した前述の説明による請求項１による留め金
【国際調査報告】
2008502540.tif 000028
2008502540.tif 000029
2008502540.tif 000030